(57)【特許請求の範囲】
【請求項１】
室内に形成された音環境を体感する空間内に設置され、音響装置により再生された環境音を上記空間内の体感者の頭部に向けて発生させるように配置された環境音発生用のスピーカと上記音響装置により再生された消去音を外部に向けて発生させるように配置された消去音発生用のスピーカとを備えたスピーカ装置を備え、上記音響装置は、上記環境音発生用のスピーカと上記体感者の頭部との間の音響伝達関数に対する逆音響伝達関数に基づき上記環境音の信号から消去音を作成する消去音作成手段を備えたことを特徴とする音環境体感設備。
【発明の詳細な説明】
【０００１】
【発明の属する技術分野】
この発明は、例えば、集合住宅または戸建て住宅の室内等に侵入すると考えられる環境音を住宅購入者等が事前に体感できる音環境体感設備に関するものである。
【０００２】
【従来の技術】
従来、建設設計者やディベロッパー、住宅購入予定者等が建物の完成前に、上階で走り回る音や物を落したときの音のような床衝撃音、隣戸のピアノやテレビの音のような空気伝播音、道路交通騒音や鉄道騒音のような外部騒音などの環境音を自分の聴覚によって確認するための音環境体感設備として、図８，図９に示すようなユニット型の音環境体感設備が用いられている。
【０００３】
図８は従来の音環境体感設備の内部を示す正面図であり、内部に体感者が座ることのできる空間を有する直方体状の函体２０からなり、この函体２０は、外部からの音から隔離すると共に外部に対し音が漏れないようにするため、その外壁２１が遮音材及び吸音材で構成されている。
この函体２０の内部には、音環境を体感する空間として、この函体２０よりも多少小さく形成された直方体状の体感室２２が設けられ、この体感室２２内において図外の体感者が着座したときに正面に位置する内壁２２ａと函体２０の外壁２１との間に空間３０が形成されている。
【０００４】
上記体感室２２内には、上記内壁２２ａの壁面に２個の平面スピーカ２３，２３が横並びに配置されて取付けられている。また、この平面スピーカ２３，２３の間には、上記空間３０内に配置されたコンピュータ３１のディスプレイ３１ａが内壁２２ａに埋め込まれるようにして取付けられており、このディスプレイ３１ａの下の位置には、内壁２２ａに対し垂直方向に延長する平板３１ｂが取付けられ、この平板３１ｂ上に上記コンピュータ３１を操作するための図外のマウス等が置かれる。
また、上記体感室２２の天井２２ｂには、２個の高音用のスピーカ２４，２４と、１個の低音用スピーカ２５が取付けられており、低音用スピーカ２５は、高音用スピーカ２４，２４の間に挟まれるように配置されている。
また、上記体感室の別の内壁２２ｃには、体感者が出入りするためのドア２６が設けられている。
【０００５】
また、上記空間３０には、図９のブロック図に示すように、録音された音の補正等の制御を行うコンピュータ３１の他、コンピュータ３１からのデジタル信号を変換するＤ／Ａ変換器３２と、このＤ／Ａ変換器３２からの信号の劣化を補償するイコライザー３３と、このイコライザー３３からの信号を増幅して各スピーカ２３〜２５に出力するパワーアンプ３４とが配置されている。
【０００６】
上記のように構成された従来の音環境体感設備においては、図９に示すように、あらかじめ種々の現場において録音された床衝撃音等をコンピュータ３１により体感する対象としての建築物の梁位置，梁の寸法，床スラブの種類や厚み，壁の厚みなどに基づいて算出された減衰値で補正して、Ｄ／Ａ変換器３２に出力する。このＤ／Ａ変換器において変換されたアナログ信号は、イコライザー３３を通過して信号の劣化が補償され、パワーアンプ３４により増幅され、体感室２２内に設けられた平面スピーカ２３と、高音用スピーカ２４と、低音用スピーカ２５とに出力される。
これにより体感室２２内の体感者はコンピュータ３１を操作することにより、外部音から隔離された環境で、集合住宅等のある特定の室内における床衝撃音等の音環境を自分の聴覚によって体感することができる。
【０００７】
【発明が解決しようとする課題】
しかし、従来の音環境体感設備では、外部との遮音のため、遮音材及び吸音材で構成された外壁を必要とすることから、ある程度の大きさを有するユニット型に形成されていた。従って、ある程度の広さの設置スペースが必要であるため、モデルルーム等の室内に設置することは困難であった。また、本設備の設置，移動作業等も比較的困難なものとなっていた。
【０００８】
この発明は、上記課題を解決するためになされたもので、簡易な構成で外部に対する遮音を可能とすることにより、モデルルーム等の室内に容易に設置することができ、省スペースでかつ移動等の容易な音環境体感設備を提供することを目的とする。
【０００９】
【課題を解決するための手段】
本発明は、室内に形成された音環境を体感する空間内に設置され、音響装置により再生された環境音を上記空間内の体感者の頭部に向けて発生させるように配置された環境音発生用のスピーカと上記音響装置により再生された消去音を外部に向けて発生させるように配置された消去音発生用のスピーカとを備えたスピーカ装置を備え、上記音響装置は、上記環境音発生用のスピーカと上記体感者の頭部との間の音響伝達関数に対する逆音響伝達関数に基づき上記環境音の信号から消去音を作成する消去音作成手段を備えたことを特徴とする。
【００１０】
【発明の実施の形態】
実施の形態１．
図１〜３は本発明の実施の形態に係る音環境体感設備を示す図であり、これらの図において、１は仕切部材を移動可能に保持するＬ字状に接合されたレール１ｍ，１ｍより成るレール部であり、例えば、断面形状が下方に開口するＣ字状に形成され、その内部において図外のフック体がレール１ｍ，１ｍの長手方向に移動可能に取付けられ、このフック体に上記仕切部材として後述するカーテンが吊下げられている。レール１ｍ，１ｍは、その両端がモデルルーム１０の角部の２辺の壁面１０ａ，１０ｂにそれぞれ接するように、モデルルーム１０の天井に固定される。このレール部１には、Ｌ字の角部から床１０ｃ方向に延長してレール部１の角部をモデルルーム１０の床１０ｃに支持する支柱１ａが取付けられている。
【００１１】
２はモデルルーム１０内を仕切る仕切部材としての蛇腹状のカーテンであり、例えば、レール１ｍ，１ｍに沿って取付けられた図外のフック体で吊り下げられることにより上記レール１ｍ，１ｍに水平方向に移動可能な状態で保持される。
このカーテン２は、レール部１の支柱１ａの位置で２つに分割され、開閉自在となっており、このカーテン２，２を閉じることにより、モデルルーム１０の角部の壁面１０ａ，１０ｂと上記カーテン２，２で、ほぼ直方体状の音環境体感空間１１を形成することとなる。
すなわち、カーテン２，２は、音環境体感空間１１をモデルルーム１０内の他の部分（以下、「外部」という。）１２から遮蔽する機能を有するとともに、外部１２からの音に対し、ある程度の遮音機能を有することになる。また、カーテン２，２のレール部１の角部側を開くことにより、この開口部が音環境体感空間１１の出入口となる。
【００１２】
３は音環境体感空間１１内に設置されたスピーカ保持枠であり、図２，図３に示すように、モデルルーム１０の床１０ｃから上方向に延長する４本の角柱状の脚部３ａと、この脚部３ａの上端にその底面が取付けられたスピーカ固定部としての矩形状の枠体３ｂとから構成される。
このスピーカ保持枠３は、音環境体感空間１１内において、体感者５の出入り及び着座等の動作の邪魔とならないように、その脚部３ａが配置されることになる。
【００１３】
６は音環境体感空間１１内に設置されたスピーカ装置であり、上記枠体３ｂの内周側に取付けられた４個の環境音発生用の第１スピーカと、上記枠体３ｂの外周側に取付けられた２個の消去音発生用の第２スピーカと、上記音環境体感空間１１を構成する壁１０ａに取付けられ、各スピーカ６ａ，６ｂに対し、接続ライン６ｃにより接続される音響装置６ｄとから構成される。
上記第１スピーカ６ａは、図２，図３に示すように、上記枠体３ｂの４つの内側面３ｃの長さ方向のほぼ中央の位置に各１個ずつ取付けられており、音の発生する方向が音環境体感空間１１内に設置された椅子４に着座する体感者５の頭部５ａ方向を向くように、矩形状の枠体３ｂからやや斜め下の方向に傾けられた状態で枠体３ｂに固定されている。また、上記第２スピーカ６ｂは、上記枠体３ｂの４つの外側面３ｄの内、外部１２方向を向く外側面３ｄにおいて、裏側に位置する第１スピーカ６ａと対称となるように、長さ方向のほぼ中央の位置において斜め下の方向に傾けられた上体で枠体３ｂに固定されている。
【００１４】
上記音響装置６ｄは、図４に示すように、あらかじめ録音された環境音の信号を複数ｃｈのマルチチャンネル再生方式で再生する音響再生手段及び後述する逆音響伝達関数に基づき消去音を作成する消去音作成手段を備えるコンピュータ３５と、このコンピュータ３５からのデジタル信号を変換するＤ／Ａ変換器３２ａ，３２ｂと、このＤ／Ａ変換器３２ａ，３２ｂからの信号の劣化を補償するイコライザー３３ａ，３３ｂと、このイコライザー３３ａ，３３ｂからの信号を増幅して各スピーカ６ａ，６ｂに出力するパワーアンプ３４ａ，３４ｂ等により構成される。なお、この音響装置６ｄは必ずしも音環境体感空間１１内に設置する必要はなく、外部に設置することにより、体感者以外の者が操作することとしてもよい。
【００１５】
本実施の形態では、モデルルーム１０の角部の所定位置に上記スピーカ保持枠３，椅子４，スピーカ装置６を配置した後、レール部１に吊り下げられたカーテン２，２が閉じられることによりモデルルーム１０の角部に音環境体感空間１１が形成されることになる。このように形成された音環境体感空間１１の広さとしては、最低限、上記スピーカ保持枠３及びスピーカ装置６を備えることができ、かつ、体感者５が着座等するスペースが確保されるものであればよいこととなる。
なお、図１に示すように、上記音環境体感空間１１を形成する場所としては、壁面１０ａ，１０ｂに窓１０ｄを設けた所を選択して設けることにより、日中においては、採光が可能で、照明設備を不要とすることができると共に上記体感者５が上記音環境体感空間１１内において感じる圧迫感を軽減することができる。
【００１６】
この音環境体感空間１１内に設置された椅子４に、集合住宅の購入予定者等の体感者５が着座した状態で、スピーカ装置６を動作させることにより、４個の第１スピーカ６ａから床衝撃音等の環境音が発生し、体感者５は特定の室内等における音環境を自分の聴覚を通じて体感することができる。
この場合の再生音としては、建築物内部の床衝撃音、壁体感遮音の他、海，河川等の自然環境にもとづく音や、自動車，鉄道等の騒音等の外部環境にもとづく環境音の実音をシミュレートしたもの（以下、「環境音」という。）を用いる。
上記環境音の再生には、音響装置６ｄの音響再生手段により複数チャンネル、例えば６ｃｈないし４ｃｈに振り分けるマルチチャンネルの音響録音再生方式で再生された音を用い、４個の第１スピーカ６ａにより発生させることにより、立体的な音の再生を実現でき、体感者はより実際の音環境に近い状況を体感することができる。
なお、上記音響装置６ｄは、ドルビー方式の再生を可能としてもよく、低音域の再生には、ｂｏｄｙｓｏｎｉｃなどの手法を活用してもよい。
【００１７】
また、環境音の再生時には、上記第１スピーカ６ａから発生される環境音に対し、逆位相でかつ同一音圧となる消去音を第２スピーカ６ｂから外部１２方向に向けて発生させることにより、その音波干渉による消音を行う。
この消音については、まず、あらかじめマルチチャンネル毎に、音環境体感空間１１内の椅子４に着座した体感者５の頭部５ａの耳周辺と第１スピーカ６ａとの間の音響伝達関数を求めた後、上記音響伝達関数に基づき、再生する環境音の信号を歪めないようにピークレベルから２０ｄＢの範囲で逆音響伝達関数を計算しておく。そして、第１スピーカ６ａによる環境音再生時に、コンピュータ３５の消去音作成手段により、上記環境音の信号を上記逆音響伝達関数に基づいて補正制御することにより上記消去音を作成する。この場合、外部１２に対しては、各マルチチャンネル毎に上記第１スピーカ６ａから発生される音の合成されたものが漏れることとなるため、上記各マルチチャンネル毎に計算された逆音響伝達関数を足し合わせたものに基づき上記環境音を補正制御し消去音を作成することになる。
このように作成された消去音を第２スピーカ６ｂから外部１２に向けて発生させることにより、上記環境音と上記消去音の音波干渉が生じ、外部１２に対しては、１０ｄＢ程度の遮音効果を得ることができる。
【００１８】
このように本実施の形態に係る音環境体感設備は、音響装置により再生された消去音を外部に向けて発生させるように配置された消去音発生用の第２スピーカとを備えたスピーカ装置とから構成し、上記環境音発生用のスピーカと上記体感者の頭部との間の音響伝達関数に対する逆音響伝達関数に基づき上記環境音の信号から作成した消去音を外部に対し発生させ、音波干渉による遮音効果を得ることとしたので、遮音用の外壁等を用いることなく、モデルルーム等における他の見学者等に不快感を与えることを防止することができる。
また、上記音響装置に複数チャンネルのマルチチャンネル再生方式により上記環境音を再生する音響再生手段を備えたので、モデルルーム等の室内において簡易かつ省スペースで、より実際の音に近い環境音を体感することができる。
また、仕切部材としてのカーテンにより音環境体感空間を外部から遮蔽することとしたので、体感時において体感者が受ける外部からの視覚的な影響を排除することができ、環境音により集中させることができる。
なお、本実施の形態では、Ｌ字状のレール部に保持された仕切部材によりほぼ長方形状の音環境体感空間を形成することとしているが、必ずしもこの形状に限られるものではなく、音響体感空間として必要なスペースを確保することができるものであればその形状は問わない。従って、例えば、保持部材としてのレール部を円弧状等に形成してもよい。
また、本実施の形態では、仕切部材としてのカーテンにより音環境体感空間を形成することとしたが、音環境体感空間を形成するためには、必ずしもカーテン等の仕切部材を取付ける必要はない。
また、スピーカ装置は４本の脚部により支持したものに限られず、例えば脚部の下端に長辺形状等の土台を取付けて安定させることにより、２本または１本の脚部で支持することとしてもよく、体感者が着座する椅子に脚部を固定することとしてもよい。
また、第１スピーカの数は立体的な音の実現を可能とするものであれば、４個より少なく又は多く取付けてもよい。
また、第２スピーカの数についても、外部に対する消音効果を得られるものであれば、２個より少なく又は多く取付けてもよい。また、必ずしも第１スピーカと対称となるように固定する必要はなく、外部方向を向くように配置されていれば、取付位置及び傾き等は任意に設定してよい。
【００１９】
実施の形態２．
図５（ａ），（ｂ）は本発明の実施の形態２に係る音環境体感設備を構成する仕切部材を示す平面図である。
上記実施の形態１では、室内の角部をＬ字状レール部に保持された仕切り部材で仕切ることにより音環境体感空間を形成するとして説明したが、図５（ａ）に示すように、角部以下の平坦な壁１０ａに対向する例えば半円状のレール部７Ａに保持された開閉自在の仕切部材８Ａで仕切るようにして音環境体感空間１３を形成してもよい。この場合には、上記第２スピーカ６ｂは、上記枠体３ｂの４つの外側面３ｄの内、外部１２方向を向く３つの外側面３ｄに取付けられることになる。
また、図５（ｂ）に示すように、室内の壁１０ａ等を利用することなく、四角形状のレール部７Ｂに保持された仕切り部材８Ｂで仕切ることにより音環境体感空間１３を形成してもよい。この場合には、上記第２スピーカ６ｂは、上記枠体３ｂの４つの外側面３ｄの全てに取付けられることになる。
このように、上記枠体３ｂの外側面３ｄのうち、外部１２方向を向く外側面３ｄに対して第２スピーカ６ｂを取付けることにより、消音効果を低減させることなく、モデルルーム等の室内の角部以外の自由な位置に音環境体感空間１３を形成することが可能となる。
なお、本実施の形態におけるレール部の形状は上記のものに限られず種々の形状のものを用いることができ、例えば、壁を利用する場合において、コ字状のものを用いてもよく、また、壁を利用しない場合において、円形状，楕円形状のものを用いてもよい。
【００２０】
実施の形態３．
図６は、本発明の実施の形態３に係る音環境体感設備を構成するスピーカ保持枠を示す側面図であり、一例として、上記実施の形態１と同様にモデルルームの角部に音環境体感空間を形成する場合を示している。
上記実施の形態１では、枠体３ｂに対し第１スピーカ６ａを斜め下方向に傾けて固定することにより、体感者５の頭部５ａに向けることとしているが、例えば図６に示すように、スピーカ保持枠に対し第１スピーカを水平に取付けるとともに、上記スピーカ保持枠の脚部を上，下方向に伸縮自在としたものを用いることにより、体感時において、体感者５の頭部５ａを囲むようにしてもよい。本実施の形態では、第２スピーカについても、枠体の外側面のうち、外部方向を向く部位において第１スピーカに対応させて水平に取付けている。
このスピーカ保持枠９は、例えば、図６に示すように、枠体９ｂ、とこの枠体９ｂを床１０ｃに支持する筒状の第１の脚部９ｄと、この筒状の脚部９ｄの内周側に上，下に移動可能に挿入される円柱状の第２の脚部９ｅにより構成する。この第２の脚部９ｅの側面には、上，下に一直線上に複数個のねじ穴９ｆが形成され、第１の脚部９ｄには、上記ねじ穴９ｆと同径に形成された貫通孔９ｇが形成される。
このスピーカ保持枠９は、上記ねじ穴９ｆと、上記貫通孔９ｇとの位置が合った状態で、固定用のねじ９ｈを螺合させることにより、枠体９ｂの高さを固定するものである。この場合、図６においては、ねじ穴９ｆは上，下に２個所設けられているが、このねじ穴９ｆの位置及び個数等は、これに限られるものではなく、ねじ穴９ｆの個数を増やすことにより、さらに、細かい高さ調整が可能となる。
また、この場合、第１スピーカ６ａは、枠体９ｂの中心を向くように水平に取付けられている。なお、図６においては、上記実施の形態１と同様にモデルルームの角部に音環境体感空間を形成した場合を示しているため、壁方向（体感者５に対して左方向及び後ろ方向）に位置する第２スピーカは取付けられていない。
また、図６上では、第１スピーカ６ａについては体感者５の前，後方向に位置するもの、第２スピーカ６ｂについては体感者５の前方向に位置するもののみを図示しており、左，右方向に位置するもの（第２スピーカについては、右方向に位置するもののみ）は図示を省略している。
【００２１】
このスピーカ保持枠９では、体感者５が椅子４に着座する前においては、図６の一点鎖線で示すように、第２の脚部９ｅを第１の脚部９ｄ内において上方向にずらし、一番下の位置に設けられたねじ穴９ｆを貫通孔９ｇに合わせてねじ９ｈで固定する。そして、体感者５が椅子４に着座した状態においては、ねじ９ｈを外し、枠体９ｂに水平に取付けられた第１スピーカ６ａが体感者５の頭部５ａを囲むような所定位置で、ねじ穴９ｆを貫通孔９ｇに合わせてねじ９ｈで固定する。
このように、体感者５の着座前においては、枠体９ｂを上方の位置に固定するため、体感者５の移動等の動作の邪魔をすることがない。また、体感者５の着座後においては、第１スピーカ６ａを、体感者５の頭部５ａを囲むように配置させることにより、第１スピーカ６ａより発生させる音響出力を小さくすることができ、さらに、外部１２からの音の影響を小さくし、体感者５をより第１スピーカ６ａから発生される環境音に集中させることができる。
なお、本実施の形態に係るスピーカ保持枠の脚部は上，下方向に伸縮自在となるものであれば、ねじ嵌合により位置決めされるものには限られない。また、体感者が椅子に着座した状態を感知して、体感者の頭部に合わせて下方向に縮み、体感者が椅子から立ち上がった状態で上方向に伸びるように、上，下方向の伸縮を制御することとしてもよい。
また、本実施の形態では、第１スピーカ６ａ及び第２スピーカ６ｂを水平に取付けることとして説明したが、必ずしもこれに限られるものではなく、スピーカ保持枠を上下に伸縮可能として種々の高さに設定できることとするとともに、第１，第２スピーカを水平以外の種々傾きに固定することとしてもよい。
また、第１，第２スピーカの傾きを必ずしも固定する必要はなく、体感時及び移動時において任意の傾きに調整することができるものとしてもよい。
また、第２スピーカについては、実施の形態１と同様に、必ずしも第１スピーカと対称となるように固定する必要はなく、外部方向を向くように配置されていれば、取付位置及び傾き等は任意に設定してよい。
また、本実施の形態に係るスピーカ保持部材は、モデルルーム１０の角部に音環境体感空間を形成する場合に限られず、上記実施の形態２に示すように、モデルルーム内の他の任意の場所に音環境体感空間を形成する場合においても用いることができる。この場合、第２スピーカについては、図６に示す個数，位置に限らず、外部に対する消音効果を得られるのに必要な個数を所定の位置に取付ければよい。
【００２２】
実施の形態４．
図７は、本発明の実施の形態４に係る音環境体感設備に係るスピーカ保持部材を示す斜視図であり、一例として、上記実施の形態１と同様にモデルルーム１０の角部に音環境体感空間を形成する場合を示している。
この図において、１５は下方に開口するドーム（半球形）状に形成されたスピーカ保持部材であり、音環境体感空間内に設置された椅子１４の背もたれ部１４ａの上端に図外のヒンジ等を介して略９０度程度回動可能に取付けられている。また、その開口部１５ａの内周面１５ｂの下端付近には、複数の第１スピーカ６ａ（本実施の形態では、４個）が周方向に対し等間隔に取付けられ、外周面１５ａには、第１スピーカ６ａの取付けられている位置に対応するように複数の第２スピーカが取付けられている。また、上記スピーカ保持部材１５の下端の一部が下方に垂直に延長するようにしてディスプレー取付部１５ｂが形成され、その内周面に画像表示装置としてのディスプレー１６が取付けられる。このディスプレー取付部１５ｂは、椅子１４に着座する図外の体感者の頭部前方に、取付けられたディスプレー１６が位置するように形成されている。
なお、図７では、上記実施の形態１と同様にモデルルームの角部に音環境体感空間を形成した場合を示しているため、壁方向（椅子１４に着座する体感者に対して左方向及び後方向）に位置する第２スピーカは取付けられていない。また、図７上では、一点鎖線で示したスピーカ保持部材に取付けられている第１スピーカ６ａ，第２スピーカ６ｂ及びディスプレー１６の図示を省略している。
このスピーカ保持部材１５の大きさとしては、その開口部１５ａの内周面に取付けられた第１スピーカ６ａ及びディスプレー１６が、椅子に着座した図外の体感者の頭部に対し、一定の距離（体感者が頭部を動かした際に第１スピーカ６ａ及びディスプレー１６にぶつからない程度）を保つことができるようなものとする。
このスピーカ保持部材１５では、体感者が椅子１４に着座する前においては、図７の一点鎖線で示すように、その開口部１５ａが水平方向を向くように支持され、体感者が椅子１４に着座した状態において、前方向に約９０度回動した状態で、開口部１５ａが床方向を向くように支持されることにより、その内周面に取付けられた第１スピーカ６ａが体感者の頭部を囲み、かつ体感者の頭部前方にディスプレー１６が配置される。
この状態において、上記第１スピーカ６ａより環境音が再生されるとともに、ディスプレー１６により上記第１スピーカ６ａから再生される環境音に連動して、当該環境音の発生原因等の外部環境の映像が表示される。この場合、ディスプレー１６に表示される映像としては、あらかじめ建設予定地等において環境音の発生原因となる外部環境を録画若しくはシミュレートした動画の画像データが用いられる。
このように、椅子にスピーカ保持部材を取付けることにより、部品点数の減少及びより一層の省スペース化を図ることができる。また、ドーム状のスピーカ保持部材を用いたので、外部からの音等による影響を少なくでき、体感者は、第１スピーカより発生する環境音により一層集中することができる。また、ドーム状のスピーカ保持部材の内部にディスプレーを設け、音響装置により再生される環境音と外部環境の映像に基づく画像データとを連動させて体感者に与えることとしたので、環境音により一層集中できるとともに、さらに実際に近い感覚で音環境を体感することができ、モデルルーム等が対象とする建築物における防音効果等を判断することができる。
なお、本実施の形態におけるスピーカ保持部材は、手動で回動することとしてもよく、また、体感者が椅子に着座した状態を感知して、回動の制御をするようにしてもよい。
また、本実施の形態においては、ディスプレーをスピーカ保持部材に取付けることとしているが、上記実施の形態１，３に示すスピーカ保持枠に取付けてもよく、また、ディスプレーに別途支持脚等を設けることとしてもよい。
【００２３】
実施の形態５．
なお、上記各実施の形態において、外部から音環境体感空間内に入り込む騒音を取り込むためのマイクセンサを、音環境体感空間内又は外部における音環境体感空間近傍の所定の位置に取り付け、上記マイクセンサにより取込んだ外部からの騒音に対し逆位相でかつ同一音圧の消去音を、上記音響装置により単独若しくは上記環境音に対する消去音と共に上記第２スピーカから外部に再生させることとしてもよい。
これにより、音環境体感空間近傍において、外部の騒音との音波干渉による消音を行うことができ、音環境体感空間内では、ほぼ第１スピーカより再生される環境音のみを体感者に聴かせることができるので、体感者に外部の騒音による影響を与えることなく、より一層環境音に集中させることができる。
なお、本実施の形態では、環境音に対する消去音と共に外部の騒音に対する消去音を第２スピーカから再生させることとしたが、外部の騒音に対する消去音については、これを再生するための第３スピーカを別途設けることとしてもよい。
【００２４】
【発明の効果】
本発明は、室内に形成された音環境を体感する空間内に設置され、音響装置により再生された環境音を上記空間内の体感者の頭部に向けて発生させるように配置された環境音発生用のスピーカと上記音響装置により再生された消去音を外部に向けて発生させるように配置された消去音発生用のスピーカとを備えたスピーカ装置を備えたので、遮音用の外壁等を用いることなく、外部に対し遮音効果を得ることができ、モデルルーム等における他の見学者等に不快感を与えることを防止することができるとともに、上記音響装置は、上記環境音発生用のスピーカと上記体感者の頭部との間の音響伝達関数に対する逆音響伝達関数に基づき上記環境音の信号から消去音を作成する消去音作成手段を備えたので、より確実に遮音効果を与えることのできる消去音を作成することが可能となる。
【図面の簡単な説明】
【図１】  本発明の一実施の形態に係る音環境体感設備の構成の概略を示す平面図である。
【図２】  本発明の一実施の形態に係る音環境体感設備の構成を示す斜視図である。
【図３】  本発明の一実施の形態に係る音環境体感設備を構成するスピーカ保持枠の一例を示す側面図である。
【図４】  本発明のスピーカ装置の構成を示す簡略ブロック図である。
【図５】  本発明の他の実施の形態に係る音環境体感設備を構成するレール部の他の例を示す平面図である。
【図６】  本発明の他の実施の形態に係る音環境体感設備を構成するスピーカ保持枠を示す側面図である。
【図７】  本発明の他の実施の形態に係る音環境体感設備を構成するスピーカ保持枠を示す斜視図である。
【図８】  従来の音環境体感設備の構成を示す遠近法による正面図図である。
【図９】  従来の音環境体感設備の構成を示すブロック図である。
【符号の説明】
１，７Ａ，７Ｂ  レール部、２，８Ａ，８Ｂ  カーテン、
３，９  スピーカ保持枠、３ａ，９ｄ，９ｅ  脚部、
３ｂ，９ｂ  枠体、６  スピーカ装置、６ａ  第１スピーカ、
６ｂ  第２スピーカ、６ｄ  音響装置、４，１４  椅子、
１５  スピーカ保持部材，１６  ディスプレー。
【図１】
0004226178.tif 000002
【図２】
0004226178.tif 000003
【図３】
0004226178.tif 000004
【図４】
0004226178.tif 000005
【図５】
0004226178.tif 000006
【図６】
0004226178.tif 000007
【図７】
0004226178.tif 000008
【図８】
0004226178.tif 000009
【図９】
0004226178.tif 000010